(57)【要約】      （修正有）【課題】発電電圧の高い太陽電池が開発され、この太陽電池を採用することにより、昇圧チョッパ回路が不要となりコストの低減が図れるが、太陽電池から直流の高電圧が出力されるため、システムの設置工事やメンテナンスに際して作業者が非常に危険な状態となる。太陽電池の発電電圧が高くとも、作業者の十分な安全を確保することができる空気調和機を提供する。【解決手段】発電電圧の高い太陽光セル２０がインバータ１１に接続され、その太陽光セル２０とインバータ１１との間の通電路に手操作式の直流開閉器１７が設けられている。【選択図】図１
2008241213.tif 000002
【特許請求の範囲】
【請求項１】
交流電源電圧を直流電圧に変換しそれをスイッチングにより所定周波数の交流電圧に変換して出力するインバータを室外機に搭載してなる空気調和機において、
前記インバータの直流電圧ラインに接続された太陽電池と、
前記太陽電池と前記インバータとの間の通電路に設けられた手操作式の直流開閉器と、
を備えていることを特徴とする空気調和機。
【請求項２】
前記室外機の筐体は、前面に開口を有するとともに、その開口に開閉自在な扉を有し、
前記直流開閉器は、前記室外機の筐体の扉を開いた際に、その筐体内の視認が容易な箇所に設けられていることを特徴とする請求項１に記載の空気調和機。
【請求項３】
前記室外機の筐体は、前面に開口を有するとともに、その開口に開閉自在な扉を有し、
前記直流開閉器は、前記扉の開閉に連動する操作レバーを有し、扉が閉じられるのに伴い閉成して通電路を形成し、扉が開かれるのに伴い開放して通電路を遮断することを特徴とする請求項１に記載の空気調和機。
【発明の詳細な説明】
【技術分野】
【０００１】
この発明は、交流電源電圧を直流電圧に変換しそれをスイッチング回路により所定周波数の交流電圧に変換して出力する圧縮機駆動用のインバータを室外機に搭載してなる空気調和機に関する。
【背景技術】
【０００２】
自然エネルギーを利用する様々なシステムが開発されているが、空気調和機もその例外でなく、太陽電池の発電電力を運転電力として利用する空気調和機がある（例えば特許文献１，２）。
【特許文献１】特開平６―７４５２２号公報
【特許文献２】特開２００４―５３１４９号公報
【発明の開示】
【発明が解決しようとする課題】
【０００３】
従来の太陽光発電システムに用いられる太陽電池は、バルク太陽電池と呼ばれ、その中でも単結晶シリコン型が主流となっている。この場合、発電電圧が低いため、利用側に昇圧チョッパ回路が設けられ、太陽電池の出力電圧がその昇圧チョッパ回路で昇圧される。
【０００４】
一方、発電電圧の高い太陽電池が開発され、実用化されつつある。この太陽電池を採用することにより、昇圧チョッパ回路が不要となり、コストの低減が図れる。
【０００５】
しかしながら、この場合、太陽電池から直流の高電圧が出力されるため、システムの設置工事やメンテナンスに際して作業者が非常に危険な状態となる。
【０００６】
この発明は上記の事情を考慮したもので、その目的は、太陽電池の発電電圧が高くとも、作業者の十分な安全を確保することができる空気調和機を提供することである。
【課題を解決するための手段】
【０００７】
請求項１に係る発明の空気調和機は、交流電源電圧を直流電圧に変換しそれをスイッチング回路により所定周波数の交流電圧に変換して出力するインバータを室外機に搭載したもので、上記インバータのスイッチング回路の入力側に接続された太陽電池と、この太陽電池と上記インバータとの間の通電路に設けられた手操作式の直流開閉器と、を備えている。
【発明の効果】
【０００８】
この発明の空気調和機によれば、太陽電池の発電電圧が高くとも、作業者の十分な安全を確保することができる。
【発明を実施するための最良の形態】
【０００９】
［１］以下、この発明の第１の実施形態について図面を参照して説明する。  
図１に示すように、商用交流電源１に室外機１０のインバータ１１が接続されている。インバータ１１は、交流電源電圧を整流する整流回路１２、この整流回路１２の出力電圧を平滑する平滑コンデンサ１３、およびこの平滑コンデンサ１３に接続されたスイッチング回路１４を有する。スイッチング回路１４は、制御部であるＭＣＵ１６からの指令に応じたスイッチングにより、整流回路１２および平滑コンデンサ１３から供給される直流電圧を所定周波数の交流電圧に変換し、出力する。この出力が圧縮機の駆動モータ（以下、圧縮機モータという）１５に駆動電力として供給される。
【００１０】
室外機１０の外に太陽電池いわゆる太陽光セル２０が設置され、その太陽光セル２０の出力端が逆電圧印加を防ぐためのダイオード２１を介して室外機１０におけるインバータ１１の直流電圧ライン（スイッチング回路１４の入力側）に接続されている。この太陽光セル２０は、太陽光を受けて発電し、直流の高電圧を出力する。
【００１１】
そして、太陽光セル２０とインバータ１１との間の通電路に、手操作式の直流開閉器１７が設けられている。直流開閉器１７は、室外機１０の筐体内の制御回路基板に配置され、通常は作業員の手操作によって閉成されることにより通電路を形成し、設置工事やメンテナンス時など作業員の手操作によって開放されることにより通電路を遮断するもので、直流の高電圧が印加されている状態でも、火花や溶着等を生じることなく安全な閉成と開放が可能である。
【００１２】
このような構成によれば、通常の晴天時の昼間では、商用交流電源１および太陽光セル２０の出力電圧（直流の高電圧）がインバータ１１で圧縮機駆動用の交流電圧に変換され、それが圧縮機モータ１５に供給される。一方、曇りや夜間の太陽光セル２０の出力電圧が商用交流電源１の整流電圧より低い場合は、商用交流電源１からのみインバータ１１に電力が供給される。
【００１３】
一方、室外機１０の筐体の構成を図２および図３に示している。３１は筐体で、前面に開口を有し、その開口を開閉自在な扉３２によって閉塞している。扉３２には前面側に開閉操作用の把手３３が設けられている。この把手３３を作業員が押し上げて引くことにより扉３２が開き、その際、図３に示すように筐体３１内の直流開閉器１７を作業員が容易に視認することができる。１８は商用交流電源１とインバータ１１とを接続するための端子台である。
【００１４】
以上のように、発電電圧の高い太陽光セル２０を採用することにより、その太陽光セル２０の出力電圧をそのままインバータ１１に注入することが可能である。よって、従来のような昇圧チョッパ回路が不要となり、コストの低減が図れる。
【００１５】
とくに、太陽光セル２０とインバータ１１との間の通電路に手操作式の直流開閉器１７を設けているので、設置工事やメンテナンスに際し、直流開閉器１７を開放して太陽光セル２０とインバータ１１との間の通電路を遮断することができる。この遮断により、室外機１０における作業者の感電事故を未然に防ぐことができ、安全である。
【００１６】
しかも、直流開閉器１７は直流の高電圧が印加されている状態でも火花や溶着等を生じることなく閉成と開放が可能であるから、この点でも、十分な安全を確保することができる。
【００１７】
［２］第２の実施形態について説明する。  
室外機１０の扉３２は、図４に示すように、筐体３１の開口に嵌め込むようにして閉じることができる。また、室外機１０の扉３２は、図５に示すように、上方へ僅かに持ち上げ、その状態で手前に引くことにより、開くことができる。
【００１８】
この扉３２の開閉のための構成として、筐体３１の開口上縁の外面側に扉支持用の段状部３１ａが形成され、その段状部３１ａに扉係合用の溝部３１ｂが形成され、さらに、筐体３１の開口下縁の内面側に扉係合用の溝部３１ｃが形成されている。一方、扉３２の上縁部の内面側に上記段状部３１ａの進入を受け入れる凹部３２ａが形成され、その凹部３２ａ内に上記溝部３１ｂへの嵌合が可能な突状部３２ｂが形成され、さらに、扉３２の下縁部の下面側に上記溝部３１ｃへの嵌合が可能な突状部３２ｃが形成されている。
【００１９】
また、直流開閉器１７は、筐体３１内に設けられた制御回路基板１９に取付けられているとともに、扉３２の開閉に連動する操作レバー１７ａを有し、扉３２が閉じられるのに伴い操作レバー１７ａが下方に傾倒して閉成（通電路を形成）し、扉３２が開かれるのに伴い操作レバー１７ａが上方に傾倒して開放（通電路を遮断）する。この操作レバー１７ａは、通常作業員が手動で操作する手操作式の直流開閉器１７の開閉切換え用レバーである。
【００２０】
操作レバー１７ａを下方と上方にそれぞれ傾倒させるための手段として、扉３２の内面に凹部３２ｄが形成されている。すなわち、凹部３２ｄは、直流開閉器１７と対向する位置に存し、扉３２が閉じられるとき、操作レバー１７ａの進入を受け入れながら上縁部がその操作レバー１７ａに当接し、操作レバー１７ａを下方へ押し下げる働きをする。また、凹部３２ｄは、扉３２が開かれるとき、下縁部が操作レバー１７ａに当接し、操作レバー１７ａを上方へ押し上げる働きをする。
【００２１】
このように、扉３２の開閉に伴って直流開閉器１７の操作レバー１７ａを自動的に傾倒させる構成とすることにより、設置工事やメンテナンスに際して作業者が扉３２を開いた時には制御回路基板１９はすでに太陽光セル２０とは切り離されている。直流の高電圧は非常に危険なので、このような非接触による操作機構を採用することで、安全性がさらに向上する。
【００２２】
他の構成および作用は第１の実施形態と同じである。よって、その説明は省略する。
【００２３】
［３］なお、この発明は、上記各実施形態そのままに限定されるものではなく、要旨を変えない範囲で種々変形実施可能であり、例えば複数の実施形態の構成要素を適宜に組合わせてもよい。
【図面の簡単な説明】
【００２４】
【図１】各実施形態の構成を示すブロック図。
【図２】第１の実施形態の室外機の筐体を示す斜視図。
【図３】第１の実施形態における筐体の扉が開いた状態を示す図。
【図４】第２の実施形態における筐体の要部および扉が開じた状態を示す図。
【図５】第２の実施形態における筐体の要部および扉が開いた状態を示す図。
【符号の説明】
【００２５】
１…商用交流電源、１０…室外機、１１…インバータ、１２…整流回路、１３…平滑コンデンサ、１４…スイッチング回路、１５…圧縮機の駆動用モータ、１６…ＭＣＵ、１７…直流開閉器、１７ａ…操作レバー、２０…太陽光セル（太陽電池）、２１…ダイオード、３１…筐体、３１ａ…段状部、３１ｂ…溝部、３１ｃ…溝部、３２…扉、３２ａ…凹部、３２ｂ…突状部、３２ｃ…突状部、３２ｄ…凹部
【図１】
2008241213.tif 000003
【図２】
2008241213.tif 000004
【図３】
2008241213.tif 000005
【図４】
2008241213.tif 000006
【図５】
2008241213.tif 000007